(57)【要約】【課題】メンテナンス時の作業を軽減でき、且つ防塵機能を備えたディスク装置を低コストで提供する。【解決手段】ディスク装置５０は、ディスクを載置するディスクトレイ２と、ディスクトレイ２を駆動するための駆動力を与える駆動源（図示せず）と、前記駆動力を伝達する駆動力伝達手段（図示せず）と、ディスクトレイ２、前記駆動源及び前記駆動力伝達手段を搭載するシャーシ１と、を備える。シャーシ１には、前記駆動力伝達手段を手動で動かす際に必要となる開口部２０形成される。また、ディスク装置５０には、開口部２０を、少なくともディスクが回転している際には塞ぐことが可能で、前記駆動力伝達手段を手動で動かす際には開放できる開口部開閉手段４０が設けられる。【選択図】図１
2008217862.tif 000002
【特許請求の範囲】
【請求項１】
ディスクを載置するディスクトレイと、
前記ディスクトレイを駆動するための駆動力を与える駆動源と、
前記駆動力を伝達する駆動力伝達手段と、
前記ディスクトレイ、前駆駆動源及び前記駆動力伝達手段を搭載するシャーシと、
を備えるディスク装置において、
前記シャーシには、前記駆動力伝達手段を手動で動かす際に必要となる開口部が形成され、
前記開口部を塞ぐ閉塞部材と該閉塞部材を回転する回転機構とを有し、前記開口部を開閉できる開口部開閉手段を設けたことを特徴とするディスク装置。
【請求項２】
ディスクを載置するディスクトレイと、
前記ディスクトレイを駆動するための駆動力を与える駆動源と、
前記駆動力を伝達する駆動力伝達手段と、
前記ディスクトレイ、前記駆動源及び前記駆動力伝達手段を搭載するシャーシと、
を備えるディスク装置において、
前記シャーシには、前記駆動力伝達手段を手動で動かす際に必要となる開口部が形成され、
前記開口部を、少なくともディスクが回転している際には塞ぐことが可能で、前記駆動力伝達手段を手動で動かす際には開放できる開口部開閉手段を設けたことを特徴とするディスク装置。
【請求項３】
前記開口部開閉手段は、前記開口部を塞ぐ閉塞部材と該閉塞部材を可動する可動機構とを備えることを特徴とする請求項２に記載のディスク装置。
【請求項４】
前記可動機構は、前記閉塞部材を回転する回転機構であることを特徴とする請求項３に記載のディスク装置。
【請求項５】
装置を制御する回路基板と、
前記回路基板と可撓性を有する配線部材で電気的に接続されて、少なくとも前記ディスクに記録される情報の読み取りを可能とする光ピックアップと、を備え、
前記開口部開閉手段は、前記配線部材を用いて形成されることを特徴とする請求項２に記載のディスク装置。
【発明の詳細な説明】
【技術分野】
【０００１】
本発明は、例えばＤＶＤレコーダ等に内蔵されて、ディスク（例えばＤＶＤ等の光ディスク）に記録された情報を再生したり、ディスクに情報を記録したりするディスク装置に関し、特に防塵効果を有するディスク装置に関する。
【背景技術】
【０００２】
従来、例えばＤＶＤレコーダ等に搭載されて、ディスク（例えばＤＶＤ等の光ディスク）に記録された情報を再生したり、ディスクに情報を記録したりするディスク装置が提案されている。従来のディスク装置の構成について、図６、図７及び図８を参照しながら説明する。ここで、図６は、従来のディスク装置１００の外観を示した概略斜視図、図７は、従来のディスク装置１００の構成を示す概略平面図、図８は、図７のＡ−Ａ位置における概略断面図である。なお、図７においては、後述のシャーシ１の上部、ディスクトレイ２及び回路基板３は省略している。ただし、ディスクトレイ２については一点鎖線でその位置のみ示している。
【０００３】
図６に示すように、ディスク装置１００は、例えば樹脂製のシャーシ１と、シャーシ１に取り付けられて、ディスクを載置した状態で出し入れ可能なディスクトレイ２と、ディスク装置１００を制御する回路基板３と、を備えている。シャーシ１には、ディスク装置１００を例えばＤＶＤレコーダ等に設けられる取り付け基板（図示せず）に設置するための取り付け用ブラケット４が一体成形されており、これによりディスク装置１００はＤＶＤレコーダ等に搭載可能となる。回路基板３からは、ＦＦＣ（Flexible Flat Cable；フレキシブルフラットケーブル）３０が引き出され、これによりディスク装置１００内に備えられる光ピックアップ等の各種制御が可能とされている。
【０００４】
また、シャーシの１には、図７に示すように可動フレーム５等が取り付けられる。可動フレーム５は、その後端部（図７の上部側）がシャーシ１に回動可能に取り付けられており、鎖線Ｒで示した箇所を中心として回動してその前端部（図７の下部側）が昇降するように構成されている。
【０００５】
この可動フレーム５には、その前部側にディスクが装着されるターンテーブル６付きのスピンドルモータ７が固定されると共に、ディスクの記録面を光学的に走査する光ピックアップ８がガイドシャフト９に沿って前後進可能に取り付けられている。また、可動フレーム５には、駆動モータ１０及び駆動モータ１０の回転によって回転する歯車列１１が取り付けられている。光ピックアップ８にはラック１３が一体的に連結されており、このラック１３は歯車列１１を構成する歯車の一部と噛合うようになっており、駆動モータ１０の駆動によって光ピックアップ８を前後進することが可能となっている。なお、歯車列１１は、シャーシ１に取り付けられるピニオン１２に駆動モータ１０の回転を伝達可能とされている。
【０００６】
また、シャーシ１には、図示しない支持台が設けられており、この支持台上に図７中に矢印ａで示す左右方向に往復移動可能なスライダ１４が設けられている。このスライダ１４には一体成形されたラック１４ａが設けられており、このラック１４ａは、シャーシ１に取り付けられたピニオン１２と噛合い可能に構成され、これによりピニオン１２の矢印ｂで示す正逆回転運動がラック１４ａの往復運動に変換されるようになっている。また、スライダ１４にはガイドピン１５ａ、１５ｂが設けられており、このガイドピン１５ａ、１５ｂはディスクトレイ２の下面に一体成形した左右一対のガイド溝２ａ、２ｂに係合されている。
【０００７】
可動フレーム５の前述した昇降運動は、スライダ１４の左右方向の往復運動を通じて行われる。図８に示すようにスライダ１４には上水平部と傾斜部と下水平部とから成るカム溝１４ｂが形成されており、このカム溝１４ｂに可動フレーム５の前端部に形成されるカム突起１６が案内されることによって可動フレーム５の昇降が行われる。
【０００８】
このように構成されるディスク装置１００において、プレイモード（図７に示す状態が該当）からエジェクトモードに切り換えると、スピンドルモータ７の駆動を停止し、駆動モータ１０の駆動によりラック１３を介して光ピックアップ８が前進（図７の下方向に移動）する。光ピックアップ８がスピンドルモータ７に当接して最前進位置に達すると、ダブルラック（その詳細は公知であるために、ここでは詳細な説明は省略する）として構成されるラック１３の一方のラック１３ａのみが更に前進し、前進したラック１３ａは、シャーシ１に取り付けられたロックレバ１７に当接する。
【０００９】
なお、ロックレバ１７は、スライダ１４が左右方向に移動するのを防止するためのロック機構の一部であり、このロックレバ１７は図示しないバネによって上下可動に設けられている。
【００１０】
ラック１３ａがロックレバ１７に当接後、更にラック１３ａは前進し、ロックレバ１７によるスライダ１４のロックを解除する。そして、さらにラック１３ａは前進して、スライダ１４の下部に設けられる板状部１８の斜面１８ａに当接し、斜面１８ａとの関係からスライダ１４を図７の左方向に移動させる。これにより、スライダ１４に設けられるラック１４ａと駆動モータ１０の回転に従動するピニオン１２とが噛合う。なお、この時点でラック１３ａのスライダ１４側への移動は終了する。
【００１１】
続いて、ピニオン１２及びラック１４ａを介して駆動モータ１０の回転によりスライダ１４が図７の左方向にスライドし、カム溝１４ｂ及びカム突起１６の構成に従って可動フレーム５が下降される。可動フレーム５が下降すると、ターンテーブル６がディスクトレイ２よりも下がって（図８の矢印ｃ方向）、ターンテーブル６上のディスクがディスクトレイ２に受け渡される。
【００１２】
スライダ１４が左方向にスライドされて左端に達する直前に、各ガイドピン１５ａ、１５ｂが各ガイド溝２ａ、２ｂのコーナ斜面２２に押し付けられて、ディスクトレイ２をわずかに前進させ、ディスクトレイ２の下面に設けられる図示しないトレイラックにピニオン１２が噛合し、それと同時のラック１４ａがピニオン１２から外れて縁が切れる。そして、ピニオン１２の回転により、トレイラックを介してディスクトレイ２が前進されて、ディスクの取り出しが可能となる。なお、逆の手順を行うと、プレイモードに戻る。また、以上に説明したディスク装置１００においては、ディスクトレイ２の上部側が開放された状態となっているが、この部分は図示しない上カバーによって覆われる。
【００１３】
このように構成されるディスク装置においては、埃や塵が装置内部に入り込んで、例えば光ピックアップに付着する等の事態が発生すると、再生や記録の品質に影響を与える。このために、従来においては、例えば特許文献１〜３に示されるように、ディスク装置の内部に埃や塵が入らないように、その構造を密閉構造とすることが行われている。
【００１４】
しかし、ディスク装置を密閉構造とした場合、上述のディスク装置１００においては、例えば、故障や停電等が発生した場合に簡単に装置内のディスクが取り出すことができない等、メンテナンス時の作業負担が大きくなるといった問題があった。このために、ディスク装置１００においては、故障等によってディスクが取り出せなくなった場合のサービス対応等を目的として、シャーシ１の側面に開口部２０を設け、ディスクトレイ２を駆動するための駆動力伝達手段を手動で動かせるように構成している。
【００１５】
なお、ディスク装置１００においては、ディスクトレイ２を駆動するための駆動力伝達手段とは、歯車列１１、ピニオン１２、ラック１３、スライダ１４（スライダ１４のラック１４ａ）、図示しないトレイラックが該当し、このうちの例えばピニオン１２を手動で回転することができれば、ディスクトレイ２を駆動することができる。
【００１６】
このような開口部２０を設ける場合でも、ディスク装置１００が配置される筐体が密閉構造であれば、ディスク装置１００内に進入する埃や塵の量も少なく、その問題は小さい。しかし、ディスク装置１００が搭載される例えばＤＶＤレコーダ等においては、発熱部品がその内部に配置されるために、通常ファン及びそれに伴って必要となる吸入口が設けられる。このために、特にディスクを回転した場合に、前述の開口部２０からディスク装置１００内に埃や塵が進入する可能性が大きくなり、これらの埃や塵が光ピックアップ８等に付着して再生等に影響を与えるといった問題がある。
【００１７】
これに対して、ディスク装置１００全体を覆うカバーを設けることが従来行われているが、このような構成の場合、カバーに必要とされる部材の量が増えてコストが上昇するといった問題がある。また、この場合にはメンテナンス時の作業負担が大きくなるといった問題も発生する。
【００１８】
この点、特許文献４においては、ディスクカートリッジを着脱自在とするディスクドライブ装置に関するものであるが、駆動力伝達部材を操作するための孔部を密閉できる密閉構造体を備えたディスクドライブ装置について提案している。そして、これによれば、孔部からの外気が装置内に流入することを防止できるため、外気中の塵埃によって記録再生エラーが発生することを防止できるとしている。
【特許文献１】特開平６−２６７２６３号公報
【特許文献２】特開平８−２０３２６３号公報
【特許文献３】特開平８−２５５４７４号公報
【特許文献４】特開平５−６７３９２号公報
【発明の開示】
【発明が解決しようとする課題】
【００１９】
しかしながら、特許文献４の構成の場合、駆動力伝達部を密閉するために、孔部を塞ぐ外蓋や内蓋を設ける構成とするか、あるいは、孔部を塞ぐシール部材を取り付ける構成としている。このため、特許文献４の構成を例えばディスク装置１００に適用する場合には、メンテナンス時に外蓋や内蓋を落とす等して紛失する可能性がある。この点、特許文献４においては、内蓋の外周部にユーザが把持するための把持部を設ける構成として落とさないような工夫がなされているが、別パーツとして着脱する構成のために、メンテナンス時に紛失する可能性は十分に考えられる。
【００２０】
また、孔部を塞ぐシール部材を取り付ける構成をディスク装置１００に適用する場合には、メンテナンス毎にシール部材を新しいもの取り替える必要があり、コスト面で不利となり、十分な対策とは言えない。
【００２１】
以上の問題点に鑑み、本発明の目的は、メンテナンス時の作業を軽減でき、且つ防塵機能を備えたディスク装置を低コストで提供することである。
【課題を解決するための手段】
【００２２】
上記目的を達成するために本発明は、ディスクを載置するディスクトレイと、前記ディスクトレイを駆動するための駆動力を与える駆動源と、前記駆動力を伝達する駆動力伝達手段と、前記ディスクトレイ、前記駆動源及び前記駆動力伝達手段を搭載するシャーシと、を備えるディスク装置において、前記シャーシには、前記駆動力伝達手段を手動で動かす際に必要となる開口部が形成され、前記開口部を塞ぐ閉塞部材と該閉塞部材を回転する回転機構とを有し、前記開口部を開閉できる開口部開閉手段を設けたことを特徴としている。
【００２３】
これによると、ディスク装置の故障時など、手動で駆動力伝達手段を動かす必要がある時を除いては、開口部を開口部開閉手段によって塞いでおくことができるために、ディスク装置内に埃や塵が進入する可能性を低減できる。一方で、開口部開閉手段を用いて開口部を開放することによって駆動力伝達手段を手動で動かすことが可能となるために、例えば、故障時等におけるディスクの取り出し等のために大掛かりな分解作業を行わなくて済み、メンテナンス時の作業を軽減できる。また、開口部開閉手段は、開口部を塞ぐ閉塞部材と、閉塞部材を回転する回転機構とを有する構成としているために、開口部の開放時にその部品を紛失することなく、更には部品交換の必要もない構成とできる。更に、従来のようにディスク装置の全面を覆うカバーを設ける必要もなく、コストを低減できる。
【００２４】
また、上記目的を達成するために本発明は、ディスクを載置するディスクトレイと、前記ディスクトレイを駆動するための駆動力を与える駆動源と、前記駆動力を伝達する駆動力伝達手段と、前記ディスクトレイ、前記駆動源及び前記駆動力伝達手段を搭載するシャーシと、を備えるディスク装置において、前記シャーシには、前記駆動力伝達手段を手動で動かす際に必要となる開口部が形成され、前記開口部を、少なくともディスクが回転している際には塞ぐことが可能で、前記駆動力伝達手段を手動で動かす際には開放できる開口部開閉手段を設けたことを特徴としている。
【００２５】
これによると、特に埃や塵が装置内に進入し易いディスク回転時には、開口部を開口部開閉手段によって塞いでおくことができるために、ディスク装置内に埃や塵が進入する可能性を低減できる。一方で、ディスク装置の故障時など、手動で駆動力伝達手段を動かす必要がある時には、開口部開閉手段を用いて開口部を開放することが可能となっているために、例えば、故障時等におけるディスクの取り出し等のために大掛かりな分解作業を行わなくて済み、メンテナンス時の作業を軽減できる。また、従来のようにディスク装置の全面を覆うカバーを設ける必要もなく、コストを低減できる。
【００２６】
また、本発明は、上記構成のディスク装置において、前記開口部開閉手段は、前記開口部を塞ぐ閉塞部材と該閉塞部材を可動する可動機構とを備えることとしても構わない。
【００２７】
これによると、開口部の開閉を適宜行える構成とできる。このため、ディスク装置の故障時など、手動で駆動力伝達手段を動かす必要がある時を除いては、開口部を塞いでおくことができ、ディスク装置内への埃や塵の進入をできる限り少なくできる。また、開口部の開放時にその部品を紛失することがなく、更には部品交換の必要もない構成とできる。
【００２８】
また、本発明は、上記構成のディスク装置において、前記可動機構は、前記閉塞部材を回転する回転機構であることとしても構わない。これによれば、開口部開閉手段の形成が容易である。
【００２９】
また、本発明は、上記構成のディスク装置において、装置を制御する回路基板と、前記回路基板と可撓性を有する配線部材で電気的に接続されて、少なくとも前記ディスクに記録される情報の読み取りを可能とする光ピックアップと、を備え、前記開口部開閉手段は、前記配線部材を用いて形成されることとしても構わない。
【００３０】
これによれば、少なくともディスクが回転している際には開口部を塞ぎ、駆動力伝達手段を手動で動かす際には開口部を開放できる構成を、部品点数を多くすることなく実現することが可能である。
【発明の効果】
【００３１】
本発明によれば、メンテナンス時の作業を軽減でき、且つ防塵機能を備えたディスク装置を低コストで提供できる。
【発明を実施するための最良の形態】
【００３２】
以下、本発明の実施形態について図面を参照しながら説明する。なお、説明にあたって、図６から図８に示した従来のディスク装置１００と重複する部分については同一の符号を付し、特に説明の必要がない場合にはその説明は省略する。また、ここで示す実施形態は一例であり、本発明はここに示す実施形態に限定されるものではない。
【００３３】
（第１実施形態）
図１は、第１実施形態のディスク装置の構成を示す概略斜視図である。第１実施形態のディスク装置５０は、サービス対応等のために設けられる開口部２０を適宜開閉することが可能な開口部開閉手段４０を設けた点において、従来のディスク装置１００と異なる。以下、この開口部開閉手段４０について、図１から図３を参照しながら説明する。
【００３４】
なお、図２は、開口部開閉手段４０の構成を説明するための図で、開口部２０が設けられるシャーシ１を含めて、開口部開閉手段４０を側面から見た図である。そして、図２（ａ）は、開口部開閉手段４０によって開口部２０が塞がれた状態を示し、図２（ｂ）は、開口部開閉手段４０によって開口部２０が塞がれておらず、開口部２０が開放されている状態を示す。また、図３は、開口部開閉手段４０を正面から見た場合の概略平面図である。図３は、開口部開閉手段４０によって開口部２０が塞がれている状態を示す。
【００３５】
開口部開閉手段４０は、閉塞部材４１と、第１の側壁４２ａと、第２の側壁４２ｂと、棒状部材４３と、から成る。本実施形態の開口部開閉手段４０は、閉塞部材４１が棒状部材４３を中心として回転する回転機構を備えており、閉塞部材４１の回転によって開口部２０の開閉が行われる。
【００３６】
本実施形態においては、閉塞部材４１は、例えばゴム等の弾性部材で形成され、その形状は、回転をし易くするために上面側が一部削られているが略直方体形状に設けられている。そして、この閉塞部材４１は、その大きさが略矩形状に設けられる開口部２０の開口面積より大きく設けられ、これにより開口部２０を塞ぐことが可能となっている。また、閉塞部材４１の上部側には、貫通孔が設けられており、この貫通孔に棒状部材４３が貫通されるように構成されている。
【００３７】
第１の側壁４２ａと第２の側壁４２ｂとは、いずれも、シャーシ１の側面に対して略直交する方向に突出する略矩形状の板状部材から成り、本実施形態においては、これら２つの側壁４２ａ、４２ｂは、シャーシ１と一体的に形成されている。なお、本実施形態においては、樹脂製のシャーシ１と２つの側壁４２ａ、４２ｂとを一体成形する構成としているが、２つの側壁４２ａ、４２ｂをシャーシ１とは別に設けて、その後接着する構成等としても構わない。
【００３８】
この対向配置される第１の側壁４２ａと第２の側壁４２ｂとは、棒状部材４３を支持する機能を有する。すなわち、棒状部材４３（例えば金属や樹脂から成る）の両端部はそれぞれ、第１の側壁４２ａ又は第２の側壁４２ｂに形成される固定部（例えば貫通孔等）に固着された状態となっている。また、この２つの側壁は４２ａ、４２ｂは、閉塞部材４１を固定する機能も有する。これについて、図３を用いて説明する。
【００３９】
図３において、破線部は閉塞部材４１の実際の幅Ｗを示している。図３に示すように、閉塞部材４１の幅Ｗは、第１の側壁４２ａと第２の側壁４２ｂとの間の距離Ｌよりも若干大きめに設けられている。このような場合でも、上述のように閉塞部材４１は弾性部材で形成されているために、２つの側壁４２ａ、４２ｂの間に押し込んで配置することが可能である（図３の状態）。そして、押し込まれた閉塞部材４１はその弾性力によって側壁４２ａ、４２ｂ側に拡がろうとするために、その力によって側壁４２ａ、４２ｂの間で固定することができる。一方で、閉塞部材４１の幅Ｗは、第１の側壁４２ａと第２の側壁４２ｂとの距離Ｌに対して僅かに大きいだけなので、手で引っ張る等により簡単に可動できる。
【００４０】
なお、閉塞部材４１を第１の側壁４２ａと第２の側壁４２ｂとの間に押し込む際又は引き出す際に、非常に大きな力が必要となっては不都合である。このため、本実施形態では、閉塞部材４１の幅Ｗが、側壁４２ａ、４２ｂ間の距離Ｌに対して大きくなりすぎて、過度の付加がかからないように調整している。また、場合によっては、第１の側壁４２ａと第２の側壁４２ｂの手前側（図３を基準に表現している）においては、側壁４２ａ、４２ｂ間の距離が閉塞部材４１の幅Ｗと同一となり、開口部２０側（紙面方向奥側）に向かって徐々に側壁４２ａ、４２ｂ間の距離が狭くなるように第１の側壁４２ａと第２の側壁４２ｂとを形成する構成としても良い。このようにすれば、閉塞部材４１の移動をスムーズとできる。
【００４１】
以上のように開口部開閉手段４０を構成した場合の作用について説明する。例えばディスクを取り出す等、手動で駆動力伝達手段（例えばピニオン１２等）を動かしてディスクトレイ２の出し入れを行う必要が生じた場合を除いては、開口部２０は開口部開閉手段４０によって塞がれている。これは、図２（ａ）及び図３で示す状態が該当し、閉塞部材４１が開口部２０の開口面に接し、開口部２０を塞いでいる。この状態の場合、ディスクが回転した場合においても埃や塵がディスク装置１の内部に流れ込むことがなく、ディスクの再生や記録の品質が向上する。
【００４２】
一方、ディスクの出し入れを手動で行う場合には開口部２０が開放されている必要があり、棒状部材４３を中心として閉塞部材４１を回転することによって、開口部２０の閉塞が解除される。開口部開閉手段４０による開口部２０の閉塞が解除された状態は、図１及び図２（ｂ）の状態が該当する。そして、この状態の場合には、開口部２０が開放されるために、例えば装置故障時におけるディスクの取り出し等のメンテナンス作業を容易に行える。
【００４３】
ディスク装置５０に設けられる開口部２０は、特に必要がない場合は、そこから埃や塵が進入しないように塞がれているのが好ましい。一方で、必要な場合には開口部２０を容易に開放できるのが好ましい。このことを実現するために、以上に示した第１実施形態では、閉塞部材４１を弾性部材で形成し、第１の側壁４２ａと第２の側壁４２ｂで閉塞部材４１を挟み込む構成とした。しかし、第１実施形態の構成に限定される趣旨ではなく、本発明の目的を逸脱しない範囲で種々の変更が可能である。
【００４４】
すなわち、例えば、閉塞部材４１を付勢手段に開口部２０側に向かって付勢する構成としても構わないし、閉塞部材４１が開口部２０を塞いでいる状態で、閉塞部材４１をシャーシ１に対してロックするロック機構を設ける構成等としても構わない。
【００４５】
また、以上の第１実施形態では、閉塞部材４１により開口部２０の閉塞を開放する機構として回転機構を用いたが、これに限定される趣旨ではなく、例えば閉塞部材４１をスライドして開口部２０を開放する構成等としても構わない。
【００４６】
（第２実施形態）
次に、第２実施形態のディスク装置７０について説明する。図３は、第２実施形態のディスク装置７０の構成を示す概略斜視図である。第２実施形態のディスク装置７０は、開口部２０を開閉することが可能な開口部開閉手段を設けた点で第１実施形態のディスク装置５０と同じである。しかし、第２実施形態のディスク装置７０が備える開口部開閉手段６０は第１実施形態の開口部開閉手段４０とは、その構成が異なる。以下、第２実施形態のディスク装置７０が備える開口部開閉手段６０について説明する。
【００４７】
図４に示すように、開口部開閉手段６０は、回路基板３と光ピックアップとを電気的に接続するＦＦＣ３０と、ＦＦＣ３０のシャーシ１に対する位置を規制する位置規制手段６１ａ、６１ｂと、から成る。位置規制手段６１ａ、６１ｂは、略コの字状の部材から成り、この略コの字状の部材は、シャーシ１に対して略垂直方向に突出した状態となっている。本実施形態においては、位置規制手段６１ａ、６１ｂは、樹脂製のシャーシ１と一体的に形成されている。
【００４８】
このように構成される位置規制手段６１ａ、６１ｂは、回路基板３から光ピックアップへと引き出されるＦＦＣ３０が、開口部２０を覆う位置となるように規制している。また、位置規制手段６１ａ、６１ｂは、それが設けられる位置において、ＦＦＣ３０がシャーシ１から離れないように規制している。なお、本実施形態では位置規制手段を２つ設ける構成としているが、これに限定される趣旨ではなく、必要に応じてその数を変更しても構わない。また、ＦＦＣ３０は、開口部２０を覆うことが可能となるように、開口部２０の開口面よりも、その幅が広く形成されている。
【００４９】
次に、本実施形態の開口部開閉手段６０の作用について、図５を参照しながら説明する。なお、図５は、開口部開閉手段６０の作用を説明するための模式図で、開口部開閉手段６０を横から見た図である。また、図５（ａ）は、開口部開閉手段６０によって開口部２０が塞がれている状態を示し、図５（ｂ）は、ディスクトレイ２０の出し入れを手動で行うために開口部２０を開放した状態を示している。
【００５０】
本実施形態のように開口部開閉手段６０を構成した場合、ディスクが回転されると、装置内部に空気を引き込むような流れが生じるために、開口部２０を覆うＦＦＣ３０が開口部２０の開口面に張り付いた状態となり（図５（ａ）の状態）、これにより開口部２０から埃や塵がディスク装置７０内部に進入するのを防止できる。なお、図５（ａ）にような状態とするためには、ディスクを回転する前に、ＦＦＣ３０がなるべく開口部２０に近づくように、ＦＦＣ３０を図５（ａ）の下側に引っ張って引き伸ばしておく必要がある。
【００５１】
一方、開口部２０からディスクトレイ２０を駆動するための駆動手段を手動で動かす際には、図５（ｂ）に示すように、ＦＦＣ３０が開口部２０と反対方向に引っ張られて（サービスマンやユーザ等による）、撓んだ状態とされる。これにより、開口部２０を利用してメンテナンス作業を行うことが可能となる。なお、ＦＦＣ３０は、開口部２０と反対方向に引き出すことが可能となるように、予め長めに設けられている。
【００５２】
また、本実施形態においては、ディスクが回転されていない場合には、開口部２０はＦＦＣ３０によって覆われているが、隙間が生じている。このため、ディスクが回転していない場合に、ディスク装置７０内に埃や塵が進入する可能性がある。しかし、ディスクが回転した際に、装置内に埃や塵が進入する可能性が最も高く、本実施形態の構成ではディスク回転時の埃や塵の進入を防げるために、その効果は十分にある。そして、本実施形態に構成の場合には、部品点数を増やさずに防塵効果を得られる構成を実現できるという利点を有する。
【００５３】
（その他）
本発明は、ディスクトレイの出し入れの方式が以上に示した実施形態とは異なる構成のディスク装置に対しても広く適用できることは言うまでもない。
【産業上の利用可能性】
【００５４】
本発明のディスク装置によれば、メンテナンス時の作業が軽減できる。また、本発明のディスク装置は防塵機能を有するために、再生や記録の品質が安定したものとできる。従って、ディスク装置として有用である。
【図面の簡単な説明】
【００５５】
【図１】は、第１実施形態のディスク装置の構成を示す概略斜視図である。
【図２】は、第１実施形態のディスク装置が備える開口部開閉手段の構成を説明するための図である。
【図３】は、第１実施形態のディスク装置が備える開口部開閉手段を正面から見た場合の概略平面図である。
【図４】は、第２実施形態のディスク装置の構成を示す概略斜視図である。
【図５】は、第２実施形態のディスク装置が備える開口部開閉手段の作用を説明するための模式図である。
【図６】は、従来のディスク装置の外観を示した概略斜視図である。
【図７】は、従来のディスク装置の構成を示す概略平面図である。
【図８】は、図７のＡ−Ａ位置における概略断面図である。
【符号の説明】
【００５６】
１            シャーシ
２            ディスクトレイ
３            回路基板
１０          駆動モータ（駆動源）
１１          歯車列（駆動力伝達手段の一部）
１２          ピニオン（駆動力伝達手段の一部）
１３          ラック（駆動力伝達手段の一部）
１４          スライダ（駆動力伝達手段の一部）
２０          開口部
３０          ＦＦＣ（配線部材）
４０、６０    開口部開閉手段
５０、７０    ディスク装置
【図１】
2008217862.tif 000003
【図２】
2008217862.tif 000004
【図３】
2008217862.tif 000005
【図４】
2008217862.tif 000006
【図５】
2008217862.tif 000007
【図６】
2008217862.tif 000008
【図７】
2008217862.tif 000009
【図８】
2008217862.tif 000010